(57)【特許請求の範囲】
【請求項１】
投光面又は受光面を有する光電素子からなる複数のセンサを備えた検出装置において、
前記複数のセンサの各々について全ての検出状態を利用者の検知が開始される毎に全ての前記センサで検知がなされたか否かを繰り返して監視する監視手段と、
前記監視手段が出力する繰り返しの監視結果の各々で、前記複数のセンサのうちのいずれか一つのセンサで被検出物の検出ができなくなったため全ての前記センサで検知がなされた状態が生じなかったとき、前記複数のセンサのうちのいずれか一つの前記センサが、連続して所定回数、前記被検出物の検出ができないことを条件に前記センサの前記投光面又は前記受光面の保守点検を促す報知信号を出力する出力手段と、
を有することを特徴とする検出装置。
【請求項２】
前記光電素子からなる前記センサは、透過型センサ又は反射型センサであることを特徴とする請求項１記載の検出装置。
【請求項３】
前記光電素子からなる前記センサは、自動改札機に設けられるものであることを特徴とする請求項１又は２記載の検出装置。
【発明の詳細な説明】
【技術分野】
【０００１】  本発明は、光電素子からなる透過型センサあるいは反射型センサを用いた検出装置に関する。
【背景技術】
【０００２】  光電素子からなる透過型センサあるいは反射型センサを用いた検出装置は、各種産業分野において物体を検出する装置として広く採用されている。【０００３】  例えば、自動改札機における人間検知器としての透過型センサは、改札通路を挾んで設置される自動改札機の筐体の一方の側面にその改札通路の通過方向に沿って所定の間隔を保って複数の発光素子を配設するとともに、筐体の他方にそれら複数の発光素子に対応した位置に受光素子をそれぞれ設けて構成されている。したがって、この透過型センサにより改札通路内の利用者（旅客）を検知することができる。【０００４】  また、自動改札機における人間検知器としての反射型センサは、自動改札機の筐体上面に設けられているセンサボックス内に改札通路の上方に向けて、つまり、改札通路を通過する大人の利用者に向けて、かつ、その改札通路の通過方向に所定の間隔を保って光線を照射する発光素子を設けるとともに、その利用者に当たって反射してきた光線（反射光）を受光する受光素子を設けて構成されている。したがって、その反射型センサにより利用者が検知されたときは、その利用者は大人の利用者と判定される。なお、この反射型センサにより利用者が検知されず、透過型センサのみで利用者が検知されたときは、その利用者は子供（小児）の利用者と判定される。【０００５】  ところで、上記従来の光電素子からなる検出装置は、投光面又は受光面がほこり等により汚損されると物体を検出できなかったり、あるいは物体ありと誤検出してしまうおそれがある。したがって、このような不都合を防止するために、光電素子からなる検出装置は、投光面及び受光面を清掃する等の保守点検が定期的に行われる。
【発明が解決しようとする課題】
【０００６】  しかしながら、上記従来の光電素子からなるセンサの検出装置は、定期的に保守点検されるが、その保守点検時期を決めるのに困難を伴うだけでなく、その保守点検期間が短すぎるとメンテナンスのコストが高くなってしまうという欠点がある。
【０００７】  そこで、本発明は、上記欠点を解決するためになされたものであって、その目的は、メンテナンス時期を的確に報知することのできる検出装置を提供することにある。
【課題を解決するための手段】
【０００８】
【課題を解決するための手段】
請求項１の本発明に係る検出装置は、上記目的を達成するために、
投光面又は受光面を有する光電素子からなる複数のセンサを備えた検出装置において、
複数のセンサの各々について全ての検出状態を利用者の検知が開始される毎に全てのセンサで検知がなされたか否かを繰り返して監視する監視手段と、
監視手段が出力する繰り返しの監視結果の各々で、複数のセンサのうちのいずれか一つのセンサで被検出物の検出ができなくなったため全てのセンサで検知がなされた状態が生じなかったとき、複数のセンサのうちのいずれか一つのセンサが、連続して所定回数、被検出物の検出ができないことを条件にセンサの投光面又は受光面の保守点検を促す報知信号を出力する出力手段と、
を有することを特徴とする。
請求項２の本発明に係る検出装置は、上記の構成において、光電素子からなるセンサは、透過型センサ又は反射型センサであることを特徴とする。
請求項３の本発明に係る検出装置は、上記の構成において、光電素子からなるセンサは、自動改札機に設けられるものであることを特徴とする。
【発明を実施するための形態】
【０００９】  以下、本発明の実施の形態を図面に基づいて説明する。図１は、一実施の形態に係る検出装置を自動改札機に適用したときのその自動改札機の本体（以下、  「本体」という。）Ｇを構成する一対の筐体のうちの一方の筐体Ｇ1 の斜視図である。なお、図示しない他方の筐体は、改札通路Ｐを挾んでこの一方の筐体Ｇ1 と向き合う形で設けられている。
【００１０】  図１中、１は、筐体Ｇ1 の改札通路Ｐの通過方向の進入側に設けられた乗車券類の投入口、２は、その筐体Ｇ1 の上面で改札通路Ｐの進出側に設けられた取出口であり、３は、その取出口２の近傍で改札通路Ｐの進出側に設けられた利用者に対して文字により所定の内容を案内するための表示画面、４は、利用者に対して音声により所定の内容を案内するためのスピーカである。
【００１１】  上記投入口１及び取出口２間の筐体Ｇ1 内には、図示しないカードハンドラが設けられている。このカードハンドラは、投入口１から投入された乗車券類を取出口２又は図示しない筐体Ｇ1 内に設けられた集札箱まで搬送させることができるように構成されている。そして、その搬送の途中において、投入口１に投入された乗車券類に記録されているデータを読取り、新たなデータを書込み、必要に応じてパンチや印字を行い、利用者へ返却する必要のある乗車券類を取出口２に排出し、筐体Ｇ1 内に回収する必要のある乗車券類を集札箱へ集札できるように構成されている。
【００１２】  図１中、Ｂは、センサボックスであって、筐体Ｇ1 の上面で、かつ、改札通路Ｐと反対側に設けられ、その改札通路Ｐに沿って設けられている。このセンサボックスＢ内には、反射型センサＳ，Ｓ…からなる人間検知器が内蔵されていて、改札通路Ｐ内の大人の利用者を検知することができるように構成されている。すなわち、この反射型センサＳ，Ｓ…は、改札通路Ｐに向けて光線を照射する発光素子と、その照射された光線が物体（利用者）に当たって反射してきた光線（反射光）を受光する受光素子とにより構成されている。
【００１３】  図１中、Ｓ′，Ｓ′…は、光電素子からなる透過型センサであって、一対の筐体間の改札通路Ｐ側に所定の間隔を保って設けられていて、改札通路内の利用者位置を検知することができるように構成されている。すなわち、この透過型センサＳ′，Ｓ′…は、一方の筐体の側面に発光素子を有するとともに、他方の筐体の側面に受光素子を有して構成されている。そして、この透過型センサＳ′，Ｓ′…で検知され、かつ、上述の反射型センサＳ，Ｓ…で検知されないときは、その利用者は子供の利用者と判定される。
【００１４】  図１中、Ｄ1 ，Ｄ11は、改札通路Ｐを開閉するドアであり、筐体Ｇ1 を統括的に制御する制御器Ｃにより駆動されるように構成されている。なお、図示しない他方の筐体には、筐体Ｇ1 のドアＤ1 ，Ｄ11に対応した位置にドアが設けられている。
【００１５】  制御器Ｃは、図２に示されるように、メモリ１０に格納されているシステムプログラム及びワーキングデータを用いて所定の入出場の演算処理を行う中央処理部（ＣＰＵ）１１を有している。そして、このＣＰＵ１１は、図示しないＩ／Ｏユニットを介してカードハンドラ１２と、ドアＤ1 ，Ｄ11を駆動制御するドアドライバ１３と、人間検知装置（Ｓ，Ｓ…、Ｓ′，Ｓ′…）からの信号を処理する人間検知器ユニット１４と、係員窓口に設置されている図示しない監視盤に接続するための通信制御部１５とが接続されている。なお、ＣＰＵ１１には、表示画面３を駆動制御する表示ドライバ等の機器も接続されているが、ここでは省略されている。
【００１６】  なお、上述の自動改札機は、乗車券類を筐体Ｇ1 に投入して処理する投入型であるが、乗車券類が無線通信機能を備えたＩＣカードからなる非接触券で、その非接触券を処理するときは、筐体Ｇ1 には、その非接触券とデータ授受を行うアンテナを備えたリーダライタが設けられる。
【００１７】  以下、図３のフローチャートを用いて制御動作について説明する。今、本体Ｇが稼動されて改札通路Ｐ内の利用者の検知が開始されたとする（ステップ１００肯定。以下、ステップを「Ｓ」とする。）。
【００１８】  改札通路Ｐを通過する利用者が全ての反射型センサＳ，Ｓ…及び透過型センサＳ′，Ｓ′…で検知されたときは（Ｓ１０２肯定）、人間検知器は正常に作動していると判定される。そして、その検知された利用者は大人の利用者と判定される。
【００１９】  ところで、改札通路Ｐを通過する利用者が全ての透過型センサＳ′，Ｓ′…で検知され、反射型センサＳ，Ｓ…のうち中央の反射型センサＳを除いた反射型センサＳ，Ｓ…で検知されたときで（Ｓ１０２否定）、しかも、その中央の反射型センサＳが所定回数（例えば５回）人間検知を行えない不検知が発生したときは（Ｓ１０４肯定、Ｓ１０６肯定）、センサの保守点検時期が到来したと判定され、通信制御部１５を介して監視盤にその旨が出力される（Ｓ１０８）。なお、上述の場合でも、残りの反射型センサＳ，Ｓ…で利用者が検知されているので、その利用者は大人の利用者と判定される。また、報知先として監視盤の外に駅制御装置等の他の機器とすることもでき、さらには、本体Ｇに設けられたランプを点灯するようにしてもよい。
【００２０】  上述のように、不検知が所定回数連続したときに保守点検を促す信号を出力するようにすると、何らかの原因で突発的に起きた１回の不検知で保守点検信号が出力されるのを効果的に防止することができる。
【００２１】  また、上述の例では、不検知のセンサは中央に設けられた反射型センサＳの例を示したが、他のセンサの場合も同様に行われる。
【００２２】  さらに、上述の例は検出装置を自動改札機の人間検知器に適用した例を示したが、複数の光電素子からなるセンサを備えた検出装置であれば適用することができる。
【発明の効果】
【００２３】  本発明に係る検出装置は、複数のセンサの検出状態を監視する監視手段と、前記複数のセンサのうちのいずれか一つのセンサが被検出物の検出ができなくなったときに、センサの保守点検を促す報知信号を出力する出力手段とからなるので、センサの保守点検時期をタイムリーに報知することができる。
また、センサの保守点検を促す報知信号の出力を複数のセンサのうちのいずれか一つのセンサが被検出物の検出が所定回数できなくなったときに行われるようにしたときは、突発的な原因による不検知による報知を防止することができる。
そして、光電素子からなるセンサを透過型センサ又は反射型センサとしたときは、透過型センサ又は反射型センサの保守点検時期を効果的に報知することができる。
さらに、光電素子からなるセンサを自動改札機に設けられるものとしたときは、自動改札機の人間検知器の保守点検時期を効果的に報知することができる。
【図面の簡単な説明】
【図１】  本発明の一実施の形態に係る検出装置を自動改札機に適用したときのその本体を構成する一対の筐体のうちの一方の筐体の斜視図である。
【図２】  制御器のブロック図である。
【図３】  制御動作を説明するためのフローチャートである。
【符号の説明】  Ｇ  自動改札機の本体（本体）
Ｇ1   筐体
Ｄ1 ，Ｄ11  ドア
Ｐ  改札通路
Ｓ，Ｓ…  反射型センサ
Ｓ′，Ｓ′…  透過型センサ
１  投入口
２  取出口
４  スピーカ
【図１】
0005382897.tif 000002
【図２】
0005382897.tif 000003
【図３】
0005382897.tif 000004